(57)【特許請求の範囲】
【請求項１】
物体側より順に、対物レンズとして機能する第１の光学要素と、半透過・半反射のアルバダ反射面を備えた第２の光学要素と、アルバダ枠が設けられた第３の光学要素と、負の屈折力の第４の光学要素と、この第４の光学要素との間の光学的な距離を変えられる正の屈折力の第５の光学要素とを有し、
前記第４の光学要素は物体側が平面の負レンズであり、
前記第３の光学要素は、瞳側の面に前記アルバダ枠を備えた透過性の板状部材であって、前記第４の光学要素の物体側の平面に接合されている、アルバダ式ファインダー。
【請求項２】
請求項１に記載のアルバダ式ファインダーを有するカメラ。
【発明の詳細な説明】
【０００１】
【発明の属する技術分野】
本発明は、視度調整が可能なアルバダ式ファインダーに関するものである。
【０００２】
【従来の技術】
アルバダ式ファインダーは、瞳側が半透過・半反射のハーフミラーでアルバダ反射面となったレンズと、アルバダ反射面に対峙する面にアルバタ枠を備えたレンズとを組み合わせたアルバダ光学系を有し、アルバダ枠の虚像が被写体像と重なって観察されるようになっている。
【０００３】
【発明が解決しようとする課題】
このアルバダ式ファインダーの接眼レンズを光軸に沿って移動させることにより視度を変化させることができる。多くのユーザに対し見やすいファインダーを提供するには、視度が−２ジオプター（Ｄ）から＋１ジオプター程度の範囲で調整できることが望ましく、この程度の視度の範囲を調整できるように接眼レンズが動けるようにファインダーを設計および製造することが要求される。
【０００４】
その一方で、カメラなどのファインダーを搭載する機器はコンパクトにすることが要求されており、ファインダーもコンパクトな構成にする必要がある。しかしながら、視度の調整範囲を確保するために接眼レンズの移動距離を大きくすると、接眼レンズに像を飲み込ませるためにその他のレンズ系のサイズを大きくする必要がある。このため、対物レンズおよびアルバダ反射面および枠を形成するための光学要素のサイズも大きくなり、ファインダー全体が大きくなってしまう。一方、単に各レンズのパワーを強くしてレンズ間隔および接眼レンズの移動距離を小さくすると収差補正が困難となり、結像性能の良いファインダーを提供することができない。
【０００５】
そこで、本発明においては、収差補正が容易で、さらに、適度な視度範囲をカバーするために接眼レンズが移動する距離を短くすることができるコンパクトなアルバダ式ファインダーを提供することを目的としている。
【０００６】
【課題を解決するための手段】
このため、本発明のアルバダ式のファインダーにおいては、アルバダ枠が設けられた光学要素を物体側が平面の負レンズとし、接眼レンズとして機能する正の屈折力の光学要素の間に、負の屈折力の光学要素を加えることにより、接眼レンズのパワーを上げて少ない移動量で所定の視度変化量を確保できるようにしている。すなわち、本発明のアルバダ式ファインダーは、物体側より順に、対物レンズとして機能する第１の光学要素と、半透過・半反射のアルバダ反射面を備えた第２の光学要素と、アルバダ枠が設けられた第３の光学要素と、負の屈折力の第４の光学要素と、この第４の光学要素との間の光学的な距離を変えられる正の屈折力の第５の光学要素とを有し、第４の光学要素は物体側が平面の負レンズであり、第３の光学要素は、瞳側の面にアルバダ枠を備えた透過性の板状部材であって、第４の光学要素の物体側の平面に接合されている。
【０００７】
接眼レンズとして機能する正の屈折力の第５の光学要素の物体側に負の屈折力の第４の光学要素を加えることにより、第５および第４の光学要素を合成した屈折力は変えずに第５の光学要素の屈折力を上げることができる。このため、ファインダーの全体的な性能に影響を与えずに接眼レンズとして機能する第５の光学要素の屈折力を大きくすることが可能となり、所定の視度変化量を確保するために移動する距離を小さくできる。そして、ファインダーとしての倍率に影響を与えずに済むので、ファインダ−全体の収差性能はそれほど悪化することはなく、また、第４の光学要素を収差を補正する要素として利用できるので諸収差の補正が行いやすい構成になる。したがって、コンパクトで十分な視度調整の範囲を備えたアルバダ式ファインダーを提供することができる。
【０００８】
さらに、アルバダ枠を備えた第３の光学要素と接眼レンズとして機能する第５の光学要素の間に負の屈折力の第４の光学要素を加えることにより、被写体像に対する視度（外景視度）と共に、虚像として外景に重なって見えるアルバダ枠に対する視度（フレーム視度）も同等に変化させることが可能となる。したがって、本発明により、外景およびフレームが見やすく、コンパクトなアルバダ式ファインダーを提供できる。
【０００９】
第４の光学要素が、物体側が平面の負レンズなので、第３の光学要素として瞳側にアルバタ枠が設けられた板状の透過部材を平面に接合することにより第４の光学要素にアルバダ枠を設定でき、アルバダ枠の形成時などにレンズ面を傷つける可能性を抑制でき、歩留まりを高くすることができる。また、第３の光学要素である透過性の部材により乱反射を防止し、ゴーストの発生を軽減することも可能となる。
【００１０】
また、第４の光学要素が、物体側が平面の負レンズなので、収差補正のために利用できる。したがって、収差が良好に補正された、見やすいファインダーを提供することができる。
【００１１】
【発明の実施の形態】
（実施例）
図１に、本発明に係るアルバダ式ファインダーの光学系を示してある。本例のファインダー１は、物体側２から順番に、負のパワーのメニスカスレンズからなる対物レンズ１１と、瞳３の側がハーフミラーのアルバダ反射面４となった負のパワーのメニスカスレンズ１２と、瞳３の側にアルバダ枠５が蒸着された透過性の板状の透過部材１３と、物体側３が平面となった負の屈折力のレンズ（負レンズあるいは凹レンズ）１４と、接眼レンズとして機能する両凸レンズ１５とにより構成されている。本例のファインダー１は、接眼レンズ１５を光軸６に沿って前後に動かし、負レンズ１４との距離ｄ７、すなわち、対物レンズ１１との距離を変えることにより視度を調整することができる。図１は、このファインダー１の異なった状態におけるこれらのレンズの配置を示してあり、図１（ａ）は、接眼レンズ１５が対物レンズ１１に最も近づき、これらの距離が最短になった状態であり、外景視度が最も低く、負の値を示す状態である。図１（ｂ）は、接眼レンズ１５が最も瞳３の側に近づき、接眼レンズ１５と対物レンズ１１との距離が最長になった状態であり、外形視度が最も高く、正の値を示す状態である。
【００１２】
本例のアルバダ式ファインダー１においては、板状の透過部材１３は負のレンズ１４とバルサムされており負のレンズ１４の物体側の面に方形のアルバダ枠が設けられているのと光学的にはほぼ同じ状態になっている。したがって、板状透過部材１３の瞳側に形成された方形のアルバダ枠５が、板状透過部材１３の物体側２にある負のメニスカスレンズ１２のハーフミラーのアルバダ反射面４に反射し、対物レンズ１１を通して得られる外景とアルバダ枠の虚像とが一体となって瞳３から観察することができる。負レンズ１４の物体側３の面に透過な板状の部材１３によりアルバダ枠５を設けているので、負レンズ１４の物体側３の面に直にアルバダ枠を蒸着する場合よりも製造中にレンズを傷つける心配が減る。すなわち、レンズに直にアルバダ枠を蒸着しなくて良いので、万一、精度良くアルバダ枠を蒸着できない場合であっても板状の部材１３が浪費されるだけであり、レンズが消耗されるのを防止できる。したがって、低コストで精度の良いアルバダ枠を備えたファインダー１を提供できる。
【００１３】
さらに、アルバダ枠が形成された面５に透過な板状の薄膜１３を接合し、薄膜１３でレンズの面を覆う構成となっている。したがって、アルバダ枠が実質的に形成された面５と、これに対峙する負レンズ１２のハーフミラーの面４との間の乱反射によるゴーストの発生も防止することができる。したがって、対物レンズ１１を通して得られる外景、すなわち、被写体像に鮮明な枠を重ねて観察することができる。
【００１４】
そして、接眼レンズ１５を光軸６に沿って前後に動かすことにより、外景視度を調整することができ、それと共に観察されるアルバダ枠（フレーム）の視度（フレーム視度）も調整することができる。本例のファインダー１においては、接眼レンズ１５を４．５ｍｍ程度動かすことにより、外景視度を−２から+１ジオプター（Ｄ）の範囲で調整することができる。
【００１５】
ファインダー１を構成する各レンズデータは以下のとおりである。ｒｉは物体側３から順番に並んだ各レンズの曲率半径（ｍｍ）、ｄｉは物体側から順番に並んだ各レンズ面の間の距離（ｍｍ）、ｎｉは物体側から順番に並んだ各レンズの屈折率（ｄ線）、νｉは物体側から順番に並んだ各レンズのアッベ数を示す。また、データ中のｉｎｆは平面であることを示している。
0004542228.tif 000002
（参考例）
図２に、本例のアルバダ式ファインダー１と比較するために、接眼レンズ１５の手前に負レンズの代わりに平板状の透過部材２１を配置したファインダー２０の光学系を示してある。このファインダー２０も、物体側２から順番に、負のパワーのメニスカスレンズからなる対物レンズ１１と、瞳３の側がハーフミラーのアルバダ反射面４となった負レンズ１２と、瞳３の側にアルバダ枠５が蒸着された透過性の板状の部材１３と、この板状透過部材１３とバルサムされた平板状の透過部材２１と、接眼レンズとして機能する両凸レンズ１５とにより構成されている。このファインダー２０も、接眼レンズ１５を光軸６に沿って前後に動かし、平板状の透過部材２１との距離ｄ７、すなわち、対物レンズ１１との距離を変えることにより視度を調整することができる。図２は、このファインダー１の異なった状態におけるこれらのレンズの配置を示してあり、図２（ａ）は、接眼レンズ１５が対物レンズ１１に最も近づき、これらの距離が最短になった状態であり、外景視度が最も低く、負の値を示す状態である。図２（ｂ）は、接眼レンズ１５が最も瞳３の側に近づき、接眼レンズ１５と対物レンズ１１との距離が最長になった状態であり、外形視度が最も高く、正の値を示す状態である。
【００１６】
この参考例のファインダー２０を構成する各レンズデータは以下のとおりであり、データは上記に示したものと同様の表示で示してある。
0004542228.tif 000003
実施例のファインダー１と、参考例のファインダー２０とは倍率が０．５５と同じになるように設計されており、さらに、接眼レンズ１５の移動距離も同じ（４．５ｍｍ）になっている。しかしながら、上記のデータから分かるように、参考例のファインダー２０では視度の調整範囲が−１．５から＋０．１ジオプターであるのに対し、実施例のファインダー１では、調整範囲が−２．０から＋１．０ジオプターと広い。これは、本例のファインダー１では、接眼レンズ１５の物体側に負のレンズ１４を配置することにより、ファインダーの倍率は変えずに接眼レンズ１５のパワーを上げ、焦点距離を短くできるようにしたためである。したがって、本例のファインダー１は、接眼レンズ１５の移動距離が４．５ｍｍと非常に短いにも関わらず、十分な視度調整範囲を備えており、多くのユーザに見やすいファインダーとなっている。
【００１７】
さらに、接眼レンズ１５の物体側で、アルバダ枠の面５の瞳側に負レンズ１４を配置しているので、本例のファインダー１においては、外景視度を調整すると共に、フレーム視度も−２．０から＋０．９ジオプターと広い範囲で調整することができる。したがって、外景と共に枠も合わせて多くのユーザに見やすいファインダーを提供することができる。
【００１８】
参考例に示したファインダー２０では、視度調整の範囲が十分とは言えず、すべてのユーザが見やすいファインダーであるとは言えない。さらに、実施例のファインダー１と同じ程度の視度の調整範囲を確保しようとすると、接眼レンズ１５の移動距離を延長する必要があり、その範囲で接眼レンズ１５に像を飲み込ませようとすると物体側の対物レンズ１１、負レンズ１２、さらには、アルバダ枠を構成するための平板状の透過部材１３および２１のサイズを大きくする必要があり、ファインダー２０の全体が大きくなってしまう。したがって、コンパクト化が進んでいるカメラなどの光学機器に適したものであるとは言えない。
【００１９】
これに対し、本例のファインダー１では、接眼レンズ１５の移動距離が短く、視度調整範囲が広いので、対物レンズ１１、負レンズ１２などのファインダーの光学系を構成するレンズなどのサイズを小さくすることができる。したがって、ファインダー１をコンパクトにまとめることができ、また、低コストで提供することができる。したがって、本例のアルバダ式ファインダー１は、コンパクトなカメラなどの光学機器に好適なものである。
【００２０】
本例のファインダー１では、接眼レンズ１５のパワーを大きくしているので、その点では収差補正が難しくなる。しかしながら、ファインダー１の倍率を変えずにすみ、さらに、接眼レンズ１５の物体側に加えた負レンズ１４の面を収差補正に利用できるので、全体としては、収差が良好に補正された結像性能の良いファインダーを提供することができる。
【００２１】
収差補正という点では、接眼レンズ１５の物体側に配置した負レンズ１４も両凹あるいはメニスカスレンズとして両面を収差補正に用いることが望ましい。負レンズ１４の物体側の面が平面でなくても方形のアルバダ枠が反射面４に写るようにアルバダ枠の形状を変えることは可能である。しかしながら、本例のファインダー１は、接眼レンズ１５の物体側に負レンズ１４を設けることにより、接眼レンズ１５の両面を収差補正に利用でき、さらに、負レンズ１４の面も収差補正に利用できる。したがって、負レンズ１４の物体側の面を平面にしても十分に収差を補正することが可能であり、本例においては、負レンズ１４の物体側の面を平面にしている。負レンズ１４の物体側の面が平面であれば、方形のアルバダ枠を形成することにより方形の枠を外景に重ねて観察することができ、ファインダーの製造が容易になる。
【００２２】
さらに、負レンズ１４の物体側の面に、直にアルバダ枠を蒸着し、負レンズ１４の物体側の面をアルバダ枠を構成するための第３の光学要素とすることも可能である。しかしながら、レンズの面に直に枠を蒸着する際に、レンズを傷つける可能性がある、また、蒸着に失敗すると高価なレンズを浪費することになり好ましくない。これに対し、本例のように、瞳側にアルバダ枠が蒸着された透過性の部材１３を用いると、レンズとは別にアルバダ枠を蒸着することが可能となり、レンズの歩留まりが悪化するのを防止できる。さらに、透過性の部材１３の瞳側にアルバダ枠５を蒸着し、その面を負レンズ１４の物体側の面と接合することにより蒸着されたアルバダ枠が組み立て中などに誤って傷つくのを防止する効果も得ることができる。負レンズ１４の物体側の面が平面でない場合も、同様の方法でアルバダ枠を形成することは可能であり、そのような場合は、負レンズ１４の面に沿って変形可能な薄膜に適当な形状のアルバダ枠を蒸着した後にレンズに接着することが望ましい。
【００２３】
なお、上記の例では、対物レンズ１１に加えて、アルバダ反射面４を瞳の側に持った負レンズ１２を備えたファインダーを例に本発明を説明しているが、負レンズ１２の物体側の面、さらには、対物レンズ１１の瞳側の面をアルバダ反射面を構成する第２の光学要素として用いることも可能である。また、第１の光学要素である対物レンズ１１は、レンズ１枚の構成に限定されるものではなく、正のパワーあるいは負のパワーを備えたレンズを組み合わせた構成であっても良い。さらに、本例のファインダー１では接眼レンズ１５で示されている第５の光学要素はレンズ１枚の構成に限定されることはなく、複数枚のレンズを組み合わせても良い。しかしながら、コンパクトなファインダーを構成するためには、上記の例に示したように、各光学要素を構成するレンズの枚数を最小限に止めることが望ましい。
【００２４】
【発明の効果】
以上に説明したように、本発明のアルバダ式ファインダーにおいては、アルバダ系のフレームを物体側が平面の負のレンズに設け、視度調整のために移動する接眼レンズの焦点距離を短くすることにより、少ない移動距離で所定の視度変化量が確保できるようにしている。したがって、多くのユーザが見やすく、コンパクトなアルバダ式ファインダーを提供することができる。
【図面の簡単な説明】
【図１】本発明の実施例のアルバダ式ファインダーの光学系を示す図である。
【図２】参考例のアルバダ式ファインダーの光学系を示す図である。
【符号の説明】
１    アルバダ式ファインダー
２    物体側
３    瞳
４    アルバダ反射面
５    アルバダ枠
６    光学軸
１１    対物レンズ（第１の光学要素）
１２    アルバダ反射面を構成するレンズ（第２の光学要素）
１３    アルバダ枠を形成する透過部材（第３の光学要素）
１４    負のレンズ（第４の光学要素）
１５    接眼レンズ（第５の光学要素）
２０    アルバダ式ファインダー
【図１】
0004542228.tif 000004
【図２】
0004542228.tif 000005